(57)【要約】【課題】無線により連動制御信号を伝送する火災警報システムおいて、複数の火災警報器が無線信号を同時に中継送信することで生じる通信障害を防止する。【解決手段】子器１は、火災を検知すると第１のＩＤ情報を含ませた連動制御信号を発信する連動制御信号の生成機能と、受信した連動制御信号に第２のＩＤ情報が含まれている場合に第１のＩＤ情報を含ませた連動制御信号を生成して発信する中継機能とを有し、親器１Ａは、連動制御信号を発信した時点で連動制御状態となって、所定時間が経過するまでの間に第２のＩＤ情報が含まれている連動制御信号を受信すれば、中継送信をせずに連動制御状態を直ちに終了する連動制御信号の遮断機能と、その所定時間が経過した時点で、第２のＩＤ情報が含まれている連動制御信号を受信していない場合には、再び第１のＩＤ情報を含ませた連動制御信号を発信して上記時間経過の計測を開始する再生機能とを更に有している。【選択図】図１
2008033410.tif 000002
【特許請求の範囲】
【請求項１】
住戸の天井面等に設置され、火災を検知して警報を開始する住戸用火災警報器において、
他との連動警報を制御する連動制御信号を送受信する無線部と、
第１のＩＤ情報と、第２のＩＤ情報とを記憶する記憶部と、
警報鳴動部と、制御部とを備え、
上記制御部は、
火災を検知したときには、上記警報鳴動部で警報を開始させると共に、上記第１のＩＤ情報を含ませた連動制御信号を生成して、上記無線部から発信させる連動制御信号の生成機能と、
上記無線部で上記連動制御信号を受信したときには、受信した連動制御信号に上記第２のＩＤ情報が含まれているか否かを判断し、上記第２のＩＤ情報が含まれている場合には、上記警報鳴動部で連動警報を開始させると共に、上記第１のＩＤ情報を含ませた連動制御信号を生成して上記無線部から発信する連動制御信号の中継機能とを
有することを特徴とするワイヤレス型火災警報器。
【請求項２】
住戸の天井面等に設置され、火災を検知して警報を開始する住戸用火災警報器において、
他との連動警報を制御する連動制御信号を送受信する無線部と、
第１のＩＤ情報と、第２のＩＤ情報とを記憶する記憶部と、
所望の時点からの時間経過を計測するタイマ手段と、
警報鳴動部と、制御部とを備え、
上記制御部は、
火災を検知したときには、上記警報鳴動部で警報を開始させると共に、上記第１のＩＤ情報を含ませた連動制御信号を生成して、上記無線部から発信させる連動制御信号の生成機能と、
上記無線部で上記連動制御信号を受信したときには、受信した連動制御信号に上記第２のＩＤ情報が含まれているか否かを判断し、上記第２のＩＤ情報が含まれている場合には、上記警報鳴動部で連動警報を開始させると共に、上記第１のＩＤ情報を含ませた連動制御信号を生成して上記無線部から発信する連動制御信号の中継機能と、
上記連動制御信号を発信した時点で、連動制御状態となって、時間経過の計測を開始し、その後、所定時間が経過するまでの間に、上記連動制御信号を受信すれば、受信した連動制御信号に上記第２のＩＤ情報が含まれているか否かを判断し、上記第２のＩＤ情報が含まれている場合には、上記連動制御信号の中継送信をせずに、上記連動制御状態を直ちに終了する連動制御信号の遮断機能と、
上記所定時間が経過した時点で、上記第２のＩＤ情報が含まれた連動制御信号を受信していない場合には、再び、上記第１のＩＤ情報を含ませた連動制御信号を生成して上記無線部から発信し、上記時間経過の計測を開始する連動制御信号の再生機能とを
有することを特徴とするワイヤレス型火災警報器。
【請求項３】
請求項１に記載のワイヤレス型火災警報器と、請求項２に記載のワイヤレス型火災警報器とで構成される火災警報システムであって、
ワイヤレス型火災警報器のそれぞれは、
上記第１のＩＤ情報として、他と重複しない独自の識別情報を割り当て、上記第２のＩＤ情報として、上記識別情報のいずれかを、他と重複しないように割り当てることにより、上記連動警報制御信号を次々に中継していくことを特徴とするワイヤレス型火災警報システム。
【請求項４】
住戸の天井面等に設置され、火災を検知して警報を開始する住戸用火災警報器において、
他との連動警報を制御する連動制御信号を送受信する無線部と、
第１のＩＤ情報と、第２のＩＤ情報とを記憶する記憶部と、
所望の時点からの時間経過を計測するタイマ手段と、
警報鳴動部と、制御部とを備え、
上記制御部は、
火災を検知したときには、上記警報鳴動部で警報を開始させると共に、連動制御状態となって、上記第１のＩＤ情報を含ませた連動制御信号を生成して、上記無線部から発信し、更に、時間経過の計測を開始する連動制御信号の生成機能と、
その後、所定時間が経過するまでの間に、上記連動制御信号を受信すれば、受信した連動制御信号に上記第２のＩＤ情報が含まれているか否かを判断し、上記第２のＩＤ情報が含まれている場合には、上記連動制御状態を直ちに終了する連動制御信号の遮断機能と、
上記所定時間が経過した時点で、上記第２のＩＤ情報が含まれた連動制御信号を受信していない場合には、上記第１のＩＤ情報を含ませた連動制御信号を生成して上記無線部から再発信して、時間経過の計測を再び開始する連動制御信号の再生機能と、
上記連動制御状態ではない間は、上記無線部で上記連動制御信号を受信すると、受信した連動制御信号に上記第２のＩＤ情報が含まれているか否かを判断し、上記第２のＩＤ情報が含まれている場合には、上記警報鳴動部で連動警報を開始させると共に、上記第１のＩＤ情報を含ませた連動制御信号を生成して上記無線部から発信する連動制御信号の中継機能とを
有することを特徴とするワイヤレス型火災警報器。
【請求項５】
請求項４に記載のワイヤレス型火災警報器で構成される火災警報システムであって、
ワイヤレス型火災警報器のそれぞれは、
上記第１のＩＤ情報として、他と重複しない独自の識別情報を割り当て、上記第２のＩＤ情報として、上記識別情報のいずれかを、他と重複しないように割り当てることにより、上記連動警報制御信号を次々に中継していくことを特徴とするワイヤレス型火災警報システム。
【発明の詳細な説明】
【技術分野】
【０００１】
本発明は、火災を検知したときに自らは警報を出力し、他の火災警報器に連動警報を出力させるようにした住戸用火災警報器に関する。
【背景技術】
【０００２】
住戸の各部屋に火災警報器を設置する場合には、火災を検知したときに自らは警報を出力し、他の火災警報器に連動警報を出力させる機能を備えた火災警報器により、火災警報システムを構成することが望ましい。
【０００３】
そのような火災警報器の公知例として、次の特許文献には、各部屋に設置する火災警報器を伝送線で渡り配線し、いずれかの火災警報器が火災を検知したときには、伝送線の電圧レベルを変化させることにより、他の火災警報器に火災検知を通知して、連動警報させる構成が開示されている。
【特許文献１】特開２００５−３３９０３２号公開公報
【発明の開示】
【発明が解決しようとする課題】
【０００４】
ところが、火災警報器を伝送線で渡り配線する構成では、特に既存住戸の各部屋に火災警報器を設置しようとすると、天井裏に伝送線を敷設するなど、非常に手間がかかるという問題がある。そこで、伝送線を使う替りに、無線信号によって伝送を行うことが考えられる。しかし、住戸の間取や壁の材質等の状況により、特定の火災警報器間では、互いに無線信号が到達できない問題が生じることがある。
【０００５】
その問題は、両者の中間にある火災警報器で無線信号を中継送信させればよいが、その際には、複数の火災警報器が無線信号を同時に中継送信するため、信号が重なりあって通信障害が生じるという現象を防止することが課題になる。
【課題を解決するための手段】
【０００６】
上記課題を解決するため、本発明における火災警報システムは、そのシステムを構成する火災警報器のそれぞれが、特定の火災警報器の発信、または中継した連動制御信号のみを中継するようにして、リング状に循環する連動制御信号の伝送経路を構成するようにしている。そして、第１の発明では、火災警報システムを子器と親器とで構成し、伝送経路中で連動制御信号の伝送を終端させる、つまり連動制御信号の遮断機能は、親器のみに与えている。
【０００７】
すなわち、子器となる火災警報器は、他との連動警報を制御する連動制御信号を送受信する無線部と、第１のＩＤ情報と、第２のＩＤ情報とを記憶する記憶部と、警報鳴動部と、制御部とを備え、上記制御部は、火災を検知したときには、上記警報鳴動部で警報を開始させると共に、上記第１のＩＤ情報を含ませた連動制御信号を生成して、上記無線部から発信させる連動制御信号の生成機能と、上記無線部で上記連動制御信号を受信したときには、受信した連動制御信号に上記第２のＩＤ情報が含まれているか否かを判断し、上記第２のＩＤ情報が含まれている場合には、上記警報鳴動部で連動警報を開始させると共に、上記第１のＩＤ情報を含ませた連動制御信号を生成して上記無線部から発信する連動制御信号の中継機能とを有する。
【０００８】
また、親器となる火災警報器は、他との連動警報を制御する連動制御信号を送受信する無線部と、第１のＩＤ情報と、第２のＩＤ情報とを記憶する記憶部と、所望の時点からの時間経過を計測するタイマ手段と、警報鳴動部と、制御部とを備え、上記制御部は、火災を検知したときには、上記警報鳴動部で警報を開始させると共に、上記第１のＩＤ情報を含ませた連動制御信号を生成して、上記無線部から発信させる連動制御信号の生成機能と、上記無線部で上記連動制御信号を受信したときには、受信した連動制御信号に上記第２のＩＤ情報が含まれているか否かを判断し、上記第２のＩＤ情報が含まれている場合には、上記警報鳴動部で連動警報を開始させると共に、上記第１のＩＤ情報を含ませた連動制御信号を生成して上記無線部から発信する連動制御信号の中継機能と、上記連動制御信号を発信した時点で、連動制御状態となって、時間経過の計測を開始し、その後、所定時間が経過するまでの間に、上記連動制御信号を受信すれば、受信した連動制御信号に上記第２のＩＤ情報が含まれているか否かを判断し、上記第２のＩＤ情報が含まれている場合には、上記連動制御信号の中継送信をせずに、上記連動制御状態を直ちに終了する連動制御信号の遮断機能と、上記所定時間が経過した時点で、上記第２のＩＤ情報が含まれた連動制御信号を受信していない場合には、再び、上記第１のＩＤ情報を含ませた連動制御信号を生成して上記無線部から発信し、上記時間経過の計測を開始する連動制御信号の再生機能とを有する。
【０００９】
そして、リング状の伝送経路を構成するために、ワイヤレス型火災警報器のそれぞれは、上記第１のＩＤ情報として、他と重複しない独自の識別情報を割り当て、上記第２のＩＤ情報として、上記識別情報のいずれかを、他と重複しないように割り当てる。すなわち、第１のＩＤ情報に自らの識別情報を割当て、第２のＩＤ情報には、自らが中継すべき連動制御信号の発信元となる火災警報器の識別情報を割り当てる。あるいは、第１のＩＤ情報に、自らの発信した連動制御信号を中継させたい火災警報器の識別情報を割当て、第２のＩＤ情報には、自らの識別情報を割り当てるようにしてもよい。
【００１０】
一方、第２の発明では、上記のような子器、親器という区別はなく、全ての火災警報器が連動制御信号の遮断機能を有し、連動制御信号を最初に発信した火災警報器が、伝送経路を一周して戻ってきた連動制御信号を遮断するようにしている。
【００１１】
そのため、第２の発明による火災警報器は、いずれも、他との連動警報を制御する連動制御信号を送受信する無線部と、第１のＩＤ情報と、第２のＩＤ情報とを記憶する記憶部と、所望の時点からの時間経過を計測するタイマ手段と、警報鳴動部と、制御部とを備え、上記制御部は、火災を検知したときには、上記警報鳴動部で警報を開始させると共に、連動制御状態となって、上記第１のＩＤ情報を含ませた連動制御信号を生成して、上記無線部から発信し、時間経過の計測を開始する連動制御信号の生成機能と、その後、所定時間が経過するまでの間に、上記連動制御信号を受信すれば、受信した連動制御信号に上記第２のＩＤ情報が含まれているか否かを判断し、上記第２のＩＤ情報が含まれている場合には、上記連動制御状態を直ちに終了する連動制御信号の遮断機能と、上記所定時間が経過した時点で、上記第２のＩＤ情報が含まれた連動制御信号を受信していない場合には、上記第１のＩＤ情報を含ませた連動制御信号を生成して上記無線部から再発信して、時間経過の計測を再び開始する連動制御信号の再生機能と、上記連動制御状態ではない間は、上記無線部で上記連動制御信号を受信すると、受信した連動制御信号に上記第２のＩＤ情報が含まれているか否かを判断し、上記第２のＩＤ情報が含まれている場合には、上記警報鳴動部で連動警報を開始させると共に、上記第１のＩＤ情報を含ませた連動制御信号を生成して上記無線部から発信する連動制御信号の中継機能とを有する。
【００１２】
なお、各火災警報器における第１のＩＤ情報、第２のＩＤ情報の割当ては、上記と同様でよい。
【発明の効果】
【００１３】
本発明による火災警報システムでは、各火災警報器が、特定の火災警報器の発信、または中継した連動制御信号のみを中継するので、連動制御信号が同時に中継されて重なってしまい、正しく受信できなくなるという問題が解決される。
【００１４】
また、連動制御信号が、所定時間何に伝送経路を一周して戻ってこなければ、連動制御信号を再生して再び伝送させるので、ノイズ等により連動制御信号が伝送中に消失したとしても、再生されて確実に伝送される。
【発明を実施するための最良の形態】
【００１５】
以下、本発明の実施例を図に従って説明する。
【実施例１】
【００１６】
図１は、本発明を実施したワイヤレス型火災警報器の概略構成の一例を説明するブロック図である。
【００１７】
この火災警報器１は、操作を受け付ける操作部１１と、作動状態を点灯、点滅表示する表示部1２と、連動制御信号を送受信する無線部１３と、警報出力する音声合成部１４と、制御プログラムや設定情報等を記憶する記憶部１５と、各部を制御する制御部１６と、外部電源５１に接続され、各部に作動電源を供給する電源部１７と、例えば熱センサーあるいは煙センサーからなるセンサー部１８ａによって、火災を検出する火災検出部１８とで構成されている。
【００１８】
操作部１１は、無線通信チャネルを選択するためのチャネル設定スイッチ１１ａと、動作モードとして、監視モード、テストモード等を選択するための動作モード設定スイッチ１１ｂと、火災検知したときの警報を停止させるための警報停止釦等１１ｃを有する。
【００１９】
また、表示部1２は、例えばＬＥＤからなる通電表示灯１２ａ、作動灯１２ｂ等を有し、無線部１３は、アンテナ部１３ａ、無線信号を送受信する送信部１３ｂ、受信部１３ｃを有する。音声合成部１４は、例えばスピーカで構成される警報鳴動部１４ａを有し、記憶部１５は、第１、第２のＩＤ情報を記憶するＩＤ記憶手段１５ａを有する。
【００２０】
制御部１６は、無線部１３を制御する無線部制御手段１６ａ、火災検出部を制御して、火災か否かを判断する火災判断手段１６ｂ、モード切替を制御するモード切替手段１６ｃ、音声合成部１４を制御する鳴動制御手段１６ｄ、連動制御信号に含まれるＩＤ情報と、ＩＤ記憶手段１５ａに記憶している第２のＩＤ情報とを照合するＩＤ照合手段１６ｅ、所望の時点からの時間経過を通知するタイマ手段１６ｆを有する。
【００２１】
この火災警報器１は、基本機能として、従来技術と同様、火災を検知したときには、警報鳴動部１４ａから警報を開始し、警報停止釦１１ｃが操作されたときには、警報を終了するという基本機能を有するので、単独で利用することが可能である。
【００２２】
また、同様な構成の火災警報器１を複数台備え、いずれかの火災警報器１が火災を検知したときに、無線により連動制御信号を伝送して、他の火災警報器１から連動警報を出力させる火災警報システムＳを構成することもできる。
【００２３】
そのため、制御部１６は、火災を検知したときには、警報鳴動部１４ａで警報を開始させると共に、ＩＤ記憶手段１５ａに記憶している第１のＩＤ情報を含ませた連動制御信号を生成して、無線部１３から発信させる連動制御信号の生成機能と、無線部１３で連動制御信号を受信したときには、その連動制御信号に、ＩＤ記憶手段１５ａに記憶している第２のＩＤ情報が含まれているか否かを判断し、第２のＩＤ情報が含まれている場合には、警報鳴動部１４ａで連動警報を開始させると共に、第１のＩＤ情報を含ませた連動制御信号を生成して無線部１３から発信する連動制御信号の中継機能とを有している。なお、警報と、連動警報とでは、音量や音色が異なるようにしておけば、火災場所の特定等が容易になる。
【００２４】
更に、それらの機能に加えて、連動制御信号を発信した時点で、連動制御状態となって、タイマ手段１６ｆによる時間経過の計測を開始し、その後、所定時間が経過するまでの間に、連動制御信号を受信すれば、受信した連動制御信号に第２のＩＤ情報が含まれているか否かを判断し、第２のＩＤ情報が含まれている場合には、連動制御信号の中継をせずに、連動制御状態を直ちに終了する連動制御信号の遮断機能と、その所定時間が経過した時点で、第２のＩＤ情報が含まれた連動制御信号を受信していない場合には、再び、第１のＩＤ情報を含ませた連動制御信号を生成して無線部１３から発信し、上記時間経過の計測を開始する連動制御信号の再生機能とを備えてもよい。
【００２５】
図２は、そのような火災警報システムＳの構成を説明するシステム図である。このシステムＳでは、上記連動制御信号の生成、中継機能を有した火災警報器１＃１〜１＃８を子器とし、上記連動制御信号の遮断機能と、再生機能を更に有した火災警報器１Ａを親器として、それらを住戸の各部屋の天井等に設置してシステムを構成している。
【００２６】
火災警報器１＃１〜１＃８、１Ａの第１、第２のＩＤ情報の割当てについて説明すると、各々において、第１のＩＤ情報に自らの識別情報を割当て、第２のＩＤ情報には、自らが中継すべき連動制御信号の発信元となる火災警報器の識別情報を割り当てる方法と、第１のＩＤ情報に、自らの発信した連動制御信号を中継する火災警報器の識別情報を割当て、第２のＩＤ情報には、自らの識別情報を割り当てる方法とがある。
【００２７】
この例は、前者の方法により、火災警報器１＃１〜１＃８、１Ａのそれぞれにおいて、第１のＩＤ情報として、例えば他と重複しない製造シリアル番号１〜９を割り当て、また、第２のＩＤ情報として、他の火災警報器１＃１〜１＃８、１Ａの製造シリアル番号１〜９を他と重複しないように割り当てている。しかし、後者の方法により、第１のＩＤ情報には他の火災警報器１の製造シリアル番号１〜９を割り当て、第２のＩＤ情報として、自己の製造シリアル番号１〜９を割当てもよい。
【００２８】
これにより、火災警報器１＃１〜１＃８、１Ａのそれぞれは、特定の火災警報器１＃１１〜１＃８、１Ａの識別情報が含まれている連動制御信号を受信した場合にのみ、連動警報を開始し、自らの識別情報を含ませた連動制御信号として中継する。これにより、リング状に循環する連動制御信号の伝送経路が形成される。
【００２９】
図では、丸数字（１）〜（１０）が連動制御信号を時系列的に示しており、まず、火災警報器１＃８が火災を検知して、連動制御信号（１）を発信し、火災警報器１Ａ、１＃１〜１＃８、１Ａの順に連動制御信号（２）〜（１０）が中継され、親器である火災警報器１Ａで遮断される動作を表している。
【００３０】
なお、このような連動制御信号の伝送方法の思想は、いずれかの火災警報器１、１Ａで警報停止釦が押されたときに、警報終了信号を他の火災警報器１、１Ａに伝送するために用いることも可能である。
【００３１】
次いで、上記子器の基本動作と、親器の基本動作とを、それぞれフローチャートを使って説明する。
【００３２】
図３は、子器の基本動作の例を示すフローチャートで、そのステップ１０１〜１０３では、火災を検知したか否かを判断し、検知しているときには、警報を開始し、第１のＩＤ情報を含ませた連動制御信号を発信している（連動制御信号の生成）。
【００３３】
ステップ１０４〜１０７では、連動制御信号を受信したか否かを判断し、受信していれば、その連動制御信号に第２のＩＤ情報が含まれているか否かを判断し、含まれていれば、連動警報を開始し、第１のＩＤ情報を含ませた連動制御信号を発信している（連動制御信号の中継）。
【００３４】
ステップ１０８〜１１０では、警報停止釦１１ｃが押されたか否かを判断し、押されていれば、警報又は連動警報を終了し、所定時間待機している。この所定時間の間に、火災要因が除去されなければ、再、火災が再び検出されることになる。
【００３５】
図４は、親器の基本動作の例を示すフローチャートで、そのステップ１０１〜１０３、１０４〜１０７、１０８〜１１０は、子器と同様であるが、連動制御状態の処理として、ステップ１１１〜１１４が追加されている。
【００３６】
すなわち、ステップ１０６で連動警報を開始した時点から連動制御状態となり、その後のステップ１１１〜１１４では、時間経過の計測を開始し、連動制御信号を受信したか否かを判断し、受信していれば、その連動制御信号に第２のＩＤ情報が含まれているかを判断し、ここで、連動制御信号を受信していないか、または、受信していても、第２のＩＤ情報が含まれていなければ、所定時間が経過しているか否かを判断し、経過していれば、再び、ステップ１０７の連動制御信号を送信する処理に戻る（連動制御信号の再生）。一方、所定の時間が経過するまでに、第２のＩＤ情報を含んだ連動制御信号を受信すれば、直ちに連動制御状態から抜け出す（連動制御信号の遮断）。
【実施例２】
【００３７】
他の実施例として、上記火災警報器１、１Ａとは、連動制御信号の伝送方法が異なる火災警報器１Ｂを説明する。その概略構成は、図１のブロック図に示した火災警報器１、１Ａと同様なので、重複する説明は省略する。
【００３８】
この火災警報器Ｂも、火災を検知したときには、警報鳴動部１４ａから警報を開始し、警報停止釦１１ｃが操作されたときには、警報を終了するという基本機能を有するので、単独で利用することが可能である。しかしながら、火災警報器１、１Ａとは、連動制御信号の伝送方法に関して、火災警報器１、１Ａのような子器、親器の区別がない点が異なっている。
【００３９】
すなわち、制御部１６は、火災を検知したときには、連動制御状態となって、警報鳴動部１４ａで警報を開始させ、第１のＩＤ情報を含ませた連動制御信号を生成して無線部１３から発信し、タイマ手段１６ｆによる時間経過の計測を開始する連動制御信号の生成機能と、その後、所定時間が経過するまでの間に、連動制御信号を受信すれば、受信した連動制御信号に第２のＩＤ情報が含まれているか否かを判断し、第２のＩＤ情報が含まれている場合には、連動制御状態を直ちに終了する連動制御信号の遮断機能と、その所定時間が経過した時点で、第２のＩＤ情報が含まれた連動制御信号を受信していない場合には、再び、第１のＩＤ情報を含ませた連動制御信号を生成して無線部１３から発信し、時間経過の計測を開始する連動制御信号の再生機能と、連動制御状態ではない間は、連動制御信号を受信すると、受信した連動制御信号に第２のＩＤ情報が含まれているか否かを判断し、第２のＩＤ情報が含まれている場合には、警報鳴動部１４ａで連動警報を開始させると共に、第１のＩＤ情報を含ませた連動制御信号を生成して、無線部１３から発信する連動制御信号の中継機能とを有している。このような構成では、火災警報システムにおいて、連動制御信号を最初に発信した火災警報器が、伝送経路を一周して戻ってきた連動制御信号を遮断することになる。
【００４０】
図５は、連動制御信号の伝送に関する基本動作を説明するフローチャートである。
このフローチャートのステップ２０８〜２１１、２１２〜２１４の処理は、図３のフローチャートにおけるステップ１０４〜１０７、１０８〜１１０の処理と同様である。
【００４１】
ステップ２０１〜２０４では、火災を検知したか否かを判断し、検知しているときには、警報を開始すると共に、連動制御状態となって、第１のＩＤ情報を含ませた連動制御信号を発信し、時間経過の計測を開始する（連動制御信号の生成）。
【００４２】
ステップ２０５〜２０７では、連動制御信号を受信したか否かを判断し、受信していれば、その連動制御信号に第２のＩＤ情報が含まれているかを判断し、連動制御信号を受信していないか、または、受信していても、第２のＩＤ情報が含まれていなければ、時間経過の計測により所定時間が経過しているか否かを判断し、経過していれば、ステップ２０３の連動制御信号を送信する処理に戻る（連動制御信号の再生）。一方、所定の時間が経過するまでに、第２のＩＤ情報を含んだ連動制御信号を受信すれば、直ちに、連動制御状態から抜け出す（連動制御信号の遮断）。
【００４３】
なお、火災警報器１Ｂで構成した火災警報システムにおける、各火災警報器１Ｂの第１のＩＤ情報、第２のＩＤ情報の割当ては、上記火災警報器１、１Ａで構成した火災警報システムＳの場合と同様にしてよい。
【図面の簡単な説明】
【００４４】
【図１】本発明によるワイヤレス型火災警報器の概略構成を説明するブロック図である。
【図２】火災警報システムの構成を説明するシステム図である。
【図３】子器となる火災警報器の基本動作の例を示すフローチャートである。
【図４】親器となる火災警報器の基本動作の例を示すフローチャートである。
【図５】構成を異ならせた火災警報器の基本動作の例を示すフローチャートである。
【符号の説明】
【００４５】
１、１Ａ、１Ｂ  ワイヤレス型火災警報器
１３    無線部
１５    記憶部
１４ａ  警報鳴動部
１６    制御部
１６ｆ  タイマ手段
Ｓ      火災警報システム
【図１】
2008033410.tif 000003
【図２】
2008033410.tif 000004
【図３】
2008033410.tif 000005
【図４】
2008033410.tif 000006
【図５】
2008033410.tif 000007